【手続補正書】
【提出日】平成16年10月19日(2004.10.19)
【手続補正１】
【補正対象書類名】明細書
【補正対象項目名】特許請求の範囲
【補正方法】変更
【補正の内容】
【特許請求の範囲】
【請求項１】  強化された熱貯蔵性及び放出性を有する繊維であって、
その繊維の長さに延在し、又第１ポリマー及び熱安定化材料の混合物を含む少なくとも一つの内部組成物、及び
前記内部組成物を取り囲み、又前記繊維の外部を形成する、第２ポリマーを含む鞘、
を含む繊維。
【請求項２】  その第１及び第２ポリマーのそれぞれが、ポリオレフィン、ポリアミド、ポリエステル、エラストマーポリマー、及びそれらの組み合わせからなる群から選択される、請求項１に記載の繊維。
【請求項３】  その第１及び第２ポリマーのそれぞれが、ポリエチレンン、ポリプロピレン、及びそれらの組み合わせからなる群から選択されるポリオレフィンである、請求項２に記載の繊維。
【請求項４】  その熱安定化材料が、−５℃〜１２５℃の範囲内の温度で熱を貯蔵又は放出する、請求項１に記載の繊維。
【請求項５】  その熱安定化材料が、２２℃〜２８℃の範囲内の温度で熱を貯蔵又は放出する、請求項４に記載の繊維。
【請求項６】  その熱安定化材料が、Ｃ10〜Ｃ44パラフィン系炭化水素、ポリエチレンオキシド、ポリエチレングリコール及びそれらの混合物からなる群から選択される相変化材料である、請求項４に記載の繊維。
【請求項７】  その熱安定化材料が、可塑性結晶性材料である、請求項４に記載の繊維。
【請求項８】  その少なくとも１つの内部組成物が、２つ以上の異なる熱安定化材料を含む、請求項４に記載の繊維。
【請求項９】  少なくとも１つの内部組成物内の熱安定化材料の質量組成が、５０％以下である、請求項１に記載の繊維。
【請求項１０】  その繊維内の熱安定化材料の質量組成が、２５％以下である、請求項１に記載の繊維。
【請求項１１】  その熱安定化材料部分が、その第１ポリマー内に内包されている、請求項１に記載の繊維。
【請求項１２】  その少なくとも１つの内部組成物が、その繊維内の芯を画定する単一の内部組成物である、請求項１に記載の繊維。
【請求項１３】  その繊維が、互いに分離されて、その鞘により取り囲まれている複数の内部組成物を含む、請求項１に記載の繊維。
【請求項１４】  その繊維が、連続繊維及びステープル繊維の内の１つである、請求項１に記載の繊維。
【請求項１５】  その繊維の内部に位置し、その繊維の長さに延在する芯であって、芯ポリマー及び熱安定化材料を含む芯、及び
その繊維の外部を形成し、又その芯を取り囲むポリマー鞘、
を含む鞘−芯繊維。
【請求項１６】  その芯及び鞘ポリマーのそれぞれが、ポリオレフィン、ポリアミド、ポリエステル、エラストマーポリマー、及びそれらの組み合わせからなる群から選択される、請求項１５に記載の繊維。
【請求項１７】  その芯及び鞘ポリマーのそれぞれが、ポリエチレン、ポリプロピレン、及びそれらの組み合わせからなる群から選択されるポリオレフィンである、請求項１６に記載の繊維。
【請求項１８】  その熱安定化材料が、Ｃ10〜Ｃ44パラフィン系炭化水素、ポリエチレンオキシド、ポリエチレングリコール及びそれらの混合物からなる群から選択される相変化材料である、請求項１５に記載の繊維。
【請求項１９】  その熱安定化材料が、可塑性結晶性材料である、請求項１５に記載の繊維。
【請求項２０】  その芯が、その芯ポリマー及び少なくとも２つの異なる熱安定化材料の混合物を含む、請求項１５に記載の繊維。
【請求項２１】  その繊維の内部に位置し、その繊維の長さに延在する複数の島であって、その島のそれぞれが、互いに離れており、島ポリマー及び熱安定化材料の混合物を含む、複数の島、及び
その繊維の外部を形成し、又その島のそれぞれを取り囲んでいるポリマー鞘、
を含む、海−島繊維。
【請求項２２】  その島ポリマー及びその鞘ポリマーのそれぞれが、ポリオレフィン、ポリアミド、ポリエステル、エラストマーポリマー、及びそれらの組み合わせからなる群から選択される、請求項２１に記載の繊維。
【請求項２３】  その島ポリマー及び鞘ポリマーのそれぞれが、ポリエチレン、ポリプロピレン、及びそれらの組み合わせからなる群から選択されるポリオレフィンである、請求項２２に記載の繊維。
【請求項２４】  その熱安定化材料が、Ｃ10〜Ｃ44パラフィン系炭化水素、ポリエチレンオキシド、ポリエチレングリコール及びそれらの混合物からなる群から選択される相変化材料である、請求項２１に記載の繊維。
【請求項２５】  その熱安定化材料が、可塑性結晶性材料である、請求項２１に記載の繊維。
【請求項２６】  少なくとも１つの島が、島ポリマーと少なくとも２つの異なる熱安定化材料の混合物を含む、請求項２１に記載の繊維。
【請求項２７】  少なくとも１つの島の熱安定化材料が、少なくとも１つの他の島の熱安定化材料と異なる、請求項２１に記載の繊維。
【請求項２８】  少なくとも２つの島が、異なる島ポリマーを含む、請求項２１に記載の繊維。
【請求項２９】  熱安定化材料含有繊維の製造方法であって、
混合物を形成するように熱安定化材料を第１ポリマーと混合する工程、
この混合物を、繊維押出し装置の紡糸口金パック中の第２ポリマーと、その第２ポリマーが前記混合物を取り囲むように組み合わせる工程、及び
前記混合物と前記第２ポリマーを、第２ポリマーで形成された外部と、第２ポリマーにより取り囲まれた前記混合物を含む内部とを有する繊維を形成するように、前記紡糸口金パックの紡糸口金から押出す工程、
を含む方法。
【請求項３０】  その混合工程の前に、熱安定化材料を第１ポリマーに添加し、ここで熱安定化材料及び第１ポリマーのそれぞれが、液体又は固体の形態である工程を更に含む、請求項２９に記載の方法。
【請求項３１】  その混合工程が、
熱安定化材料の第１液体流を提供する工程、
第１ポリマーの第２液体流を提供する工程、及び
その熱安定化材料とその第１ポリマーの所期の混合物を得るように、その第１液体流とその第２液体流を、その液体流の少なくとも１つにおいて、所定回数交差させる工程、
を含む請求項２９に記載の方法。
【請求項３２】  各混合物が熱安定化材料及び第１ポリマーを含む、複数の分離された混合物を形成する工程、
その第２ポリマーがその複数の分離された混合物を取り囲むように、その複数の分離された混合物を、第２ポリマーと紡糸口金パック内で組み合わせる工程、及び
その第２ポリマーで形成された外部と、その第２ポリマーで取り囲まれた前記複数の分離された混合物を含む内部とを有する繊維を形成するように、その複数の分離された混合物とその第２ポリマーを前記紡糸口金から押出す工程、
を更に含む請求項２９に記載の方法。
【請求項３３】  少なくとも１つの分離された混合物が、少なくとも１つの他の分離された混合物から異なる安定化材料を含む、請求項３２に記載の方法。
【請求項３４】  その押し出し工程が、溶融紡糸工程及び溶液紡糸工程のいずれかにおいて実施される、請求項２８に記載の方法。
【請求項３５】  その押し出し工程の間に形成された繊維を細長化する工程を更に含む、請求項２８に記載の方法。
【請求項３６】  その細長化工程に続いて、その繊維をボビン上に巻き取る工程、及び不織布ウエブを形成するようにその繊維を他の繊維と組み合わせる工程のいずれかの工程を更に含む、請求項３５に記載の方法。
【請求項３７】  一緒にブレンドされた複数の繊維を含む布であって、ここで、少なくとも１つの繊維が、
熱貯蔵性及び放出性を示し、又、
熱安定化材料及び第１ポリマーの混合物であって、その繊維の長さに延在する混合物、及び、
前記繊維の外部を形成し、前記混合物を取り囲むポリマーの鞘、
を含む、布。
【請求項３８】  その混合物が、少なくとも２つの異なる熱安定化材料を含む、請求項３７に記載の布。
【請求項３９】  その布が、熱貯蔵性及び放出性を示す複数の繊維を含み、又その複数の繊維の少なくとも１つの繊維が、前記複数の繊維の少なくとも１つの他の繊維とは異なる熱安定化材料を含む、請求項３７に記載の布。
【請求項４０】  その少なくとも１つの繊維が、そのポリマーの鞘によって取り囲まれている複数の分離された混合物を含む、請求項３７に記載の布。
【請求項４１】  少なくとも１つの分離された混合物が、少なくとも１つの他の分離された混合物とは異なる熱安定化材料を含む、請求項４０に記載の布。
【請求項４２】  その複数の繊維が、織布工程及び不織布工程のいずれかにより一緒にブレンドされる、請求項３７に記載の布。
【請求項４３】  その複数の繊維が、スパンボンド工程により一緒に混合される、請求項３７に記載の布。